(57)【要約】【課題】移動局の送受信可能なスペクトラム帯域幅が基地局が送受信可能なスペクトラム帯域幅に比べ小さい場合であっても、移動局は複雑な構成を取らなくても、リソース割り当てを行うことが可能な無線通信システムを提供する。【解決手段】基地局ＢＳが上り回線品質、下り回線品質および回線の割り当て状況を考慮して、移動局ＭＳ１に割り当てる上り回線の無線リソースを決定し、この無線リソースの周波数ｆとΔｆｉだけ周波数が異なるサブキャリアブロック（周波数ｆ＋Δｆｉ）を下り回線として移動局ＭＳ１に通知し、これに基づいて移動局ＭＳ１は、周波数ｆ＋Δｆｉのリソースブロックで受信を開始するとともに、周波数ｆの無線リソースを通じて送信を行うようにしたものである。【選択図】図１
2008187681.tif 000002
【特許請求の範囲】
【請求項１】
移動通信網に収容される基地局が、移動局から通知される無線回線の品質情報に基づいて、前記移動局に対して基地局から移動局への下り無線回線の割り当てを行う移動通信システムであって、
前記基地局は、
前記移動局に割り当てる下り無線回線の下り回線周波数を決定する決定手段と、
この決定手段が決定した下り回線周波数を示す情報を無線送信する送信手段とを具備し、
前記移動局は、前記基地局が送受信している周波数帯域を部分的に使用して送受信を行うものであって、
前記送信手段が送信する情報を受信する受信手段と、
この受信手段が受信した情報で示される下り回線周波数と予め設定した周波数差を有する上り回線周波数の上り無線回線を用いて、前記基地局宛ての送信を行う送信手段とを具備することを特徴とする移動通信システム。
【請求項２】
移動通信網に収容される基地局が、移動局から通知される無線回線の品質情報に基づいて、前記移動局に対して基地局から移動局への下り無線回線の割り当てを行う移動通信システムであって、
前記基地局は、
前記移動局から受信した信号に基づいて、前記移動局から前記基地局への上り回線の品質を検出する検出手段と、
この検出手段が検出した上り回線の品質に基づいて、前記移動局に割り当てる上り回線の上り回線周波数を決定する第１決定手段と、
この決定手段が決定した上り回線周波数と予め設定した周波数差を有する周波数を、前記移動局に割り当てる下り無線回線の下り回線周波数と決定する第２決定手段と、
この第２決定手段が決定した下り回線周波数を示す情報を無線送信する送信手段とを具備し、
前記移動局は、
前記送信手段が送信する情報を受信する受信手段と、
この受信手段が受信した情報で示される下り回線周波数と前記周波数差を有する前記上り回線周波数の上り無線回線を用いて、前記基地局宛ての送信を行う送信手段とを具備することを特徴とする移動通信システム。
【請求項３】
前記基地局は、さらに、前記上り回線周波数の上り無線回線を通じて、前記移動局から無線信号を受信する受信手段を備え、
前記送信手段は、前記受信手段が前記上り回線周波数の上り無線回線を通じて、前記移動局から無線信号を受信した場合に、前記下り回線周波数の下り無線回線を通じて、前記移動局に宛てた無線送信を開始することを特徴とする請求項１または請求項２に記載の移動通信システム。
【請求項４】
前記基地局は、さらに前記移動局との無線通信で用いる無線回線の使用状況を検出する回線状況検出手段を備え、
前記第１決定手段は、前記回線状況検出手段の検出結果と、前記検出手段が検出した上り回線の品質とに基づいて、前記移動局に割り当てる上り回線の上り回線周波数を決定することを特徴とする請求項２に記載の移動通信システム。
【請求項５】
前記検出手段は、前記移動局から受信した信号に基づいて、前記上り回線と前記下り回線の各品質を検出することを特徴とする請求項２に記載の移動通信システム。
【発明の詳細な説明】
【技術分野】
【０００１】
この発明は、例えば自動車・携帯電話システムや無線LANなどの無線通信システムに関する。
【背景技術】
【０００２】
近年、無線通信システムにおいては、更に高速なデータ通信サービスの実現が期待されている。OFDM(Orthogonal Frequency Division Multiplexing)方式は、データ通信の更なる高速化、および柔軟性なシステム構築の点で優れている（例えば、非特許文献１参照）。
【０００３】
しかしその一方で、従来サービスにおける音声通信やショートメッセージ通信を行うだけで十分とする移動局も存在しており、無線通信システムには、高速なパケット通信を実現するため広いスペクトラム帯域幅を必要とする移動局と、広いスペクトラム帯域幅を必要としない移動局が混在する。このため、基地局は、いずれの移動局にも対応する必要があり、これにより、移動局が送受信可能なスペクトラム帯域幅と、基地局が送受信可能なスペクトラム帯域幅が異なることになる。
【０００４】
このように、移動局と基地局とで送受信可能なスペクトラム帯域幅が異なる場合、移動局では、ある受信区間におけるリソース制御シンボルを一部の帯域でしか受信することができなかったり、あるいは同時に複数の帯域を受信するための回路を備える必要があるという問題があった。
【非特許文献１】佐藤拓朗著「OFDM技術の基礎から応用まで」リアライズ社、１９９９年１１月３０日。
【発明の開示】
【発明が解決しようとする課題】
【０００５】
従来の無線通信システムでは、移動局が送受信可能なスペクトラム帯域幅と、基地局が送受信可能なスペクトラム帯域幅が異なることになるため、移動局では、ある受信区間におけるリソース制御シンボルを一部の帯域でしか受信することができなかったり、あるいは同時に複数の帯域を受信するための回路を備える必要があるという問題があった。
【０００６】
この発明は上記の問題を解決すべくなされたもので、移動局の送受信可能なスペクトラム帯域幅が基地局が送受信可能なスペクトラム帯域幅に比べ小さい場合であっても、移動局は複雑な構成を取らなくても、リソース割り当てを行うことが可能な無線通信システムを提供することを目的とする。
【課題を解決するための手段】
【０００７】
上記の目的を達成するために、この発明は、移動通信網に収容される基地局が、移動局から通知される無線回線の品質情報に基づいて、移動局に対して基地局から移動局への下り無線回線の割り当てを行う移動通信システムであって、基地局は、移動局に割り当てる下り無線回線の下り回線周波数を決定する決定手段と、この決定手段が決定した下り回線周波数を示す情報を無線送信する送信手段とを具備し、移動局は、送信手段が送信する情報を受信する受信手段と、この受信手段が受信した情報で示される下り回線周波数と予め設定した周波数差を有する上り回線周波数の上り無線回線を用いて、基地局宛ての送信を行う送信手段とを具備して構成するようにした。
【発明の効果】
【０００８】
以上述べたように、この発明では、基地局が移動局に対して、下り回線周波数を通知すると、移動局は、この下り回線周波数と予め設定した周波数差を有する上り回線周波数の上り無線回線を用いて、基地局宛ての送信を行うようにしている。
【０００９】
したがって、この発明によれば、下り回線周波数を通知することで、下り回線周波数だけでなく上り回線周波数も決定できるので、移動局の送受信可能なスペクトラム帯域幅が基地局が送受信可能なスペクトラム帯域幅に比べ小さい場合であっても、移動局は複雑な構成を取らずに、リソース割り当てを行うことが可能な無線通信システムを提供できる。
【発明を実施するための最良の形態】
【００１０】
以下、図面を参照して、この発明の一実施形態について説明する。  
この発明では、パケット伝送の更なる高速化の要望に応えるべく、スペクトラム帯域の拡張によって高速化が可能なOFDMA(Orthogonal Frequency Division Multiple Access)技術をセルラー無線システムに適用する。この方式では、周波数軸と時間軸の組み合わせから構成される無線リソースを用いることで、複数の移動局と基地局との間で多重通信が実現される。例えば、図１に示すように、基地局ＢＳが複数の移動局ＭＳ１〜ＭＳ３とそれぞれ一対一の通信を行う場合、基地局ＢＳは、各移動局ＭＳ１〜ＭＳ３に異なる無線リソースを割り当てることで、一対一の通信が実現できる。本発明では、移動局（以下、ＭＳ１とする）が、基地局ＢＳが送受信するスペクトラム帯域の一部を使用して通信を行うものとし、移動局ＭＳ１は、基地局ＢＳとの一対一の通信を開始する前に、所定の手順に従ってオフセット値Δｆiを基地局ＢＳに通知する送信手段を備える。
【００１１】
図２を参照して、OFDMAにおける無線リソースについて説明する。OFDMAの無線リソースを構成する最小単位は、サブキャリア周波数（fs）とシンボル時間（ts）の組み合わせで設定されるOFDMシンボルである。そして、下りのOFDMシンボルには、図２に示すように、リソース制御シンボル、パイロットシンボルおよびデータシンボルが割り当てられ、複数のOFDMシンボルにより無線リソースが構成される。リソース制御シンボルは、基地局ＢＳが、ある受信単位（Ｔｒx）において割り当てる無線リソースに関する情報を示すものである。
【００１２】
また無線リソースにおけるパイロットシンボルの配置、および、ある受信単位におけるリソース制御シンボルの配置については、所定の受信性能を満足するように無線システムによってあらかじめ決められるものであり、図２に例示した配置に限られるものではない。
【００１３】
図３は、この発明の一実施形態に係わる無線通信システムの基地局ＢＳの構成を示すものである。この基地局ＢＳは、データビット生成部１０１１〜１０１ｎと、エンコーダ１０２１〜１０２ｎと、変調部１０３１〜１０３ｎと、パイロットシンボル生成部１０４０と、OFDMシンボルマッピング部１０５０と、ＤＡ変換器１０６０と、送信ＲＦ処理部１０７０と、受信ＲＦ処理部１０８０と、ＡＤ変換器１０９０と、OFDMシンボルデマッピング部１１００と、下り回線品質情報検出部１１１１〜１１１ｎと、データビット再生部１１２１〜１１２ｎと、上り回線品質検出部１１３０と、制御部１１４０と、リソース制御シンボル生成部１１５０とを備える。
【００１４】
データビット生成部１０１１〜１０１ｎは、それぞれ移動局ＭＳ１〜ＭＳｎに送信する通信データのデータビットを生成する。  
エンコーダ１０２１〜１０２ｎは、それぞれ上記データビット生成部１０１１〜１０１ｎに対応し、それぞれ生成されたデータビットを符号化して、符号化データを得る。  
変調部１０３１〜１０３ｎは、それぞれ上記エンコーダ１０２１〜１０２ｎに対応し、それぞれ得られた符号化データを直交座標平面のＩ、Ｑ軸上にマッピングされたデータシンボルを得る。  
パイロットシンボル生成部１０４０は、パイロットシンボルを生成する。
【００１５】
OFDMシンボルマッピング部１０５０は、各移動局ＭＳ１〜ＭＳｎについて、上記データシンボルと、上記パイロットシンボルと、後述するリソース制御シンボル生成部１１５０にて生成されたリソース制御シンボルとが入力され、これらのシンボルを後述する制御部１１４０の指示にしたがって、移動局ＭＳ１〜ＭＳｎ毎に対応づけたリソースブロックにマッピングしてＯＦＤＭシンボル（ディジタル信号）を得る。
【００１６】
ＤＡ変換器１０６０は、OFDMシンボルマッピング部１０５０から出力されるディジタル信号を、ディジタル／アナログ変換する。  
送信ＲＦ処理部１０７０は、ＤＡ変換器１０６０にて得られたアナログ信号を、所定の無線周波数へ変換し、アンテナを介し無線送信する。
【００１７】
受信ＲＦ処理部１０８０は、移動局ＭＳ１〜ＭＳｎから、所定の無線周波数帯域で送信される無線信号を受信してベースバンド帯域の信号に周波数変換する。  
ＡＤ変換器１０９０は、受信ＲＦ処理部１０８０から出力されるベースバンド信号を、内部で生成されたクロックによりディジタル信号に変換し、OFDMシンボルを得る。  
OFDMシンボルデマッピング部１１００は、ＡＤ変換器１０９０から出力されるOFDMシンボルをデマッピングする。
【００１８】
下り回線品質情報検出部１１１１〜１１１ｎは、OFDMシンボルデマッピング部１１００でデマッピングされたOFDMシンボルのうち、それぞれ予め対応づけられた無線リソースの制御シンボルが入力され、この制御シンボルを復調およびデコードして、上記無線リソースを通じて各移動局ＭＳ１〜ＭＳｎから送られた下り回線品質情報をそれぞれ検出する。また下り回線品質情報検出部１１１１〜１１１ｎは、上記下り回線品質情報を検出できた場合には、それぞれ対応する無線リソースを割り当てた移動局ＭＳ１〜ＭＳｎから送信が行われたものと見なして、この旨を制御部１１４０に通知する。
【００１９】
データビット再生部１１２１〜１１２ｎは、デマッピングされたOFDMシンボルのうち、それぞれ予め対応づけられた無線リソースのデータシンボルを復調およびデコードして、各移動局ＭＳ１〜ＭＳｎから送られたデータビットをそれぞれ再生する。またデータビット再生部１１２１〜１１２ｎは、データビットの再生において、受信シンボルに発生した誤りを検出し、これを上り回線品質検出部１１３０に通知する。
【００２０】
上り回線品質検出部１１３０は、データビット再生部１１２１〜１１２ｎから通知される受信シンボルの誤り発生状況に基づいて、各移動局ＭＳ１〜ＭＳｎの上り回線を含む、当該基地局ＢＳにて受信可能な全ての帯域における上り回線の品質情報を検出し、これを制御部１１４０に通知する。
【００２１】
制御部１１４０は、CPU(Central Processing Unit)と、制御データや制御プログラム、各移動局ＭＳ１〜ＭＳｎに割り当てているリソースブロックと空いているリソースブロックを示す割当情報を記憶する記憶部を内部に備え、上記制御データおよび制御プログラムにしたがって動作する。
【００２２】
そして制御部１１４０は、下り回線品質情報検出部１１１１〜１１１ｎがそれぞれ検出した下り回線品質情報、上り回線品質検出部１１３０が検出した各上り回線の品質情報、およびこの時点で上記記憶部が記憶する割当情報に基づいて、各移動局ＭＳ１〜ＭＳｎに割り当てるべき上りの無線リソース、および、下りのリソースブロックを決定する。
【００２３】
移動局ＭＳ１に対する上り無線リソースを変更した場合、制御部１１４０は、更新した上記上り無線リソースの周波数ｆに基づいて、移動局に受信用として割り当てるリソースブロックの周波数（ｆ＋Δｆｉ）を決定し、これを指定情報として移動局ＭＳ１に通知する制御を行う。
【００２４】
また制御部１１４０は、移動局ＭＳ１に割り当てる無線リソースを変更した場合に、新たに割り当てたリソースブロック（周波数ｆ＋Δｆｉ）と周波数差Δｆｉの周波数ｆの無線リソースを通じて、上り信号を受信したことを確認すると、下りの周波数ｆ＋Δｆｉに相当するOFDMシンボルのサブキャリア番号を求め、OFDMシンボルマッピング部１０５０を制御して、上記サブキャリア番号上に移動局ＭＳ１のデータシンボルがマッピングされるように処理することで、上記リソースブロック（周波数ｆ＋Δｆｉ）を通じた送信を開始する。  
なお、以上の処理により、移動局に割り当てる無線リソースを変更した場合には、これにしたがって記憶部に記憶する割当情報を更新する。
【００２５】
リソース制御シンボル生成部１１５０は、制御部１１４０が求めたサブキャリア番号を示すリソース制御情報に基づいて、リソース制御シンボルを生成する。
【００２６】
図４は、この発明の一実施形態に係わる無線通信システムの移動局ＭＳ１〜ＭＳｎの構成を示すものである。移動局ＭＳ１〜ＭＳｎは、受信ＲＦ処理部２０１０と、ローカル信号生成部２０２０と、ＡＤ変換器２０３０と、OFDMシンボルデマッピング部２０４０と、リソース制御情報抽出部２０５０と、復調部２０６０と、デコーダ２０７０と、データビット再生部２０８０と、下り回線品質検出部２０９０と、下り回線品質情報生成部２１００と、エンコーダ２１１０と、変調部２１２０と、データビット生成部２１３０と、エンコーダ２１４０と、変調部２１５０と、OFDMシンボルマッピング部２１６０と、ＤＡ変換器２１７０と、送信ＲＦ処理部２１８０とを備える。
【００２７】
受信ＲＦ処理部２０１０は、上述した基地局ＢＳが送信するＲＦ信号を受信し、これを後述するローカル信号生成部２０２０が生成した受信用ローカル信号でベースバンド帯域のベースバンド信号に周波数変換する。
【００２８】
ローカル信号生成部２０２０は、後述するリソース制御情報抽出部２０５０からの指示にしたがった周波数の受信用ローカル信号と、この受信用ローカル信号と予め設定された周波数差Δｆｉを有する送信用ローカル信号とを生成する。
【００２９】
ＡＤ変換器２０３０は、上記ベースバンド信号に基づいて、クロックを再生し、これを用いて上記ベースバンド信号をディジタル信号に変換する。  
OFDMシンボルデマッピング部２０４０は、上記ディジタル信号（OFDMシンボル）をデマッピングして、パイロットシンボル、リソース制御シンボル、およびこのリソース制御シンボルに帰属するデータシンボルをそれぞれ抽出する。
【００３０】
リソース制御情報抽出部２０５０は、上記リソース制御シンボルを予め設定された方法でデコードして、上記データシンボルのうち当該移動局宛てのデータシンボルを特定するリソース制御情報を抽出し、これに基づいて復調部２０６０に対して、復調すべきデータシンボルを指示する。
【００３１】
またリソース制御情報抽出部２０５０は、上記リソース制御情報に、当該移動局が受信すべきリソースブロックの更新された周波数ｆ＋Δｆｉを指定する指定情報が含まれる場合には、この指定情報で指定される周波数ｆ＋Δｆｉを受信するように、ローカル信号生成部２０２０が生成する受信用ローカル信号の周波数を制御する。なお、ローカル信号生成部２０２０は、受信用ローカル信号の周波数が制御されると、受信用ローカル信号の周波数と周波数差Δｆｉを有する送信用ローカル信号を生成する。
【００３２】
復調部２０６０は、OFDMシンボルデマッピング部２０４０にて得られたデータシンボルのうち、リソース制御情報抽出部２０５０から指示される当該移動局宛てのデータシンボルを復調して、符号化データを得る。  
デコーダ２０７０は、復調部２０６０から出力される符号化データをデコードする。  
データビット再生部２０８０は、デコーダ２０７０にてデコードされた符号化データからから通信データ、および制御情報を再生する。
【００３３】
下り回線品質検出部２０９０は、OFDMシンボルデマッピング部２０４０にて得られたパイロットシンボルに基づいて、当該移動局に割り当てられたリソースブロックの受信品質（干渉レベルなど）を測定する。  
下り回線品質情報生成部２１００は、下り回線品質検出部２０９０が測定した受信品質の結果を、基地局ＢＳに通知するための下り回線品質情報を生成する。
【００３４】
エンコーダ２１１０は、下り回線品質情報生成部２１００が生成した下り回線品質情報をエンコードした符号化データを得る。  
変調部２１２０は、エンコーダ２１１０で得られた符号化データを直交座標平面のＩ、Ｑシンボルとしてマッピングしたデータシンボルを得る。
【００３５】
データビット生成部２１３０は、基地局ＢＳに送信する通信データおよび制御情報のデータビットを生成する。  
エンコーダ２１４０は、データビット生成部２１３０が生成した下り回線品質情報をエンコードした符号化データを得る。  
変調部２１５０は、エンコーダ２１４０で得られた符号化データを直交座標平面のＩ、Ｑシンボルとしてマッピングしたデータシンボルを得る。
【００３６】
OFDMシンボルマッピング部２１６０は、上記変調部２１２０および２１５０で得られたデータシンボルを、OFDMシンボルへマッピングしＯＦＤＭシンボル（ディジタル信号）を得る。
【００３７】
ＤＡ変換器２１７０は、OFDMシンボルマッピング部２１６０から出力されるディジタル信号を、ディジタル／アナログ変換する。  
送信ＲＦ処理部２１８０は、ＤＡ変換器２１７０にて得られたアナログ信号を、ローカル信号生成部２０２０が生成した送信用ローカル信号を用いて、基地局ＢＳから指定された帯域の無線周波数へ変換し、アンテナを介し無線送信する。
【００３８】
次に、上記構成の無線通信システムの無線リソースの割り当て動作について説明する。図５は、基地局ＢＳによる無線リソースの割り当て制御を説明するためのフローチャートである。このフローチャートに示す処理は、制御部１１４０によってなされ、移動局に無線リソースの割り当てを行う必要が生じた場合に、実行される。なお、以下の説明では、基地局ＢＳが移動局ＭＳ１に割り当てを行う場合を例に挙げて説明する。
【００３９】
まずステップ５ａにおいて制御部１１４０は、下り回線品質情報検出部１１１１〜１１１ｎがそれぞれ検出した下り回線品質情報を取得し、ステップ５ｂに移行する。  
ステップ５ｂにおいて制御部１１４０は、上り回線品質検出部１１３０が検出した各上り回線の品質情報を取得し、ステップ５ｃに移行する。  
ステップ５ｃにおいて制御部１１４０は、この時点で記憶部が記憶する割当情報を読み出し、ステップ５ｄに移行する。
【００４０】
ステップ５ｄにおいて制御部１１４０は、上り回線の品質情報および割当情報に基づいて、上り回線における割り当て対象の移動局以外の使用率が少なく、かつ干渉の少ない周波数帯域（ｆ）を複数検出し、そのうち、その周波数ｆに基づく周波数ｆ＋Δｆｉの下り回線の品質情報が良好な周波数帯域を無線リソースとして決定し、ステップ５ｅに移行する。
【００４１】
ステップ５ｅにおいて制御部１１４０は、ステップ５ｄで決定した無線リソースの周波数ｆに基づいて、移動局ＭＳ１に受信用（下り回線）として割り当てるリソースブロックの周波数ｆ＋Δｆｉを決定し、この周波数に相当するサブキャリア番号を求める。そして、制御部１１４０は、上記リソースブロックの周波数ｆ＋Δｆｉをリソース制御シンボル生成部１１５０に通知して、上記周波数ｆ＋Δｆｉを示す指定情報を含むリソース制御シンボルを生成させる。また制御部１１４０は、OFDMシンボルマッピング部１０５０を制御して、移動局ＭＳ１に宛てて、上記リソース制御シンボルを送信させ、ステップ５ｆに移行する。
【００４２】
これに対して、上記指定情報を含むリソース制御シンボルを受信した移動局ＭＳ１では、リソース制御情報抽出部２０５０が、リソース制御シンボルをデコードして上記指定情報を検出し、この指定情報で指定される周波数ｆ＋Δｆｉを受信するように、ローカル信号生成部２０２０が生成する受信用ローカル信号の周波数を制御するとともに、受信用ローカル信号の周波数と周波数差Δｆｉを有する送信用ローカル信号を生成するように制御する。これにより移動局ＭＳ１からは、基地局ＢＳに宛てて、周波数ｆの無線リソースを通じて、下り回線品質などの送信データが送信されることになる。
【００４３】
ステップ５ｆにおいて制御部１１４０は、下り回線品質情報検出部１１１１〜１１１ｎのうち、周波数ｆに対応するOFDMシンボルから移動局ＭＳ1の下り回線品質情報を検出した場合に、移動局ＭＳ１がステップ５ｅで送信したリソース制御情報を受信したものと見なして、ステップ５ｇに移行する。周波数ｆに対応するものが下り回線品質情報を検出しない場合に、引き続きステップ５ｆにて受信を監視する。
【００４４】
ステップ５ｇにおいて制御部１１４０は、OFDMシンボルマッピング部１０５０に対して、移動局ＭＳ１に宛てるデータシンボルとリソース制御シンボルとを、周波数ｆ＋Δｆｉのリソースブロックに対応するサブキャリア番号をもつOFDMシンボルへマッピングするように指示し、ステップ５ｈに移行する。これにより、OFDMシンボルマッピング部１０５０は、移動局ＭＳ１に宛てた下り信号を周波数ｆ＋Δｆｉのリソースブロックに割り当て、送信が行われる。
【００４５】
ステップ５ｈにおいて制御部１１４０は、記憶部が記憶する割当情報のうち、周波数ｆ＋Δｆｉのリソースブロックについて、割り当て済みであることを示す情報に更新し、当該処理を終了する。
【００４６】
以上のように、上記構成の無線通信システムでは、基地局ＢＳが上り回線品質、下り回線品質および回線の割り当て状況を考慮して、移動局ＭＳ１に割り当てる上り回線の無線リソースを決定し、この無線リソースの周波数ｆとΔｆｉだけ周波数が異なるサブキャリアブロック（周波数ｆ＋Δｆｉ）を下り回線として移動局ＭＳ１に通知し、これに基づいて移動局ＭＳ１は、周波数ｆ＋Δｆｉのリソースブロックで受信を開始するとともに、周波数ｆの無線リソースを通じて送信を行うようにしている。
【００４７】
すなわち、図６に示すように、移動局ＭＳ１は、下り回線として周波数ｆｒｘ１が割り当てられると、これと周波数がΔｆｉだけ異なる周波数ｆｔｘ１を上り回線の周波数とし、その後、下り回線として周波数ｆｒｘ２が割り当てられると、これと周波数がΔｆｉだけ異なる周波数ｆｔｘ２を上り回線の周波数とするようにしたものである。
【００４８】
したがって、上記構成の無線通信システムによれば、基地局ＢＳは、下り回線に用いるリソースブロックの周波数ｆ＋Δｆｉを移動局ＭＳ１に通知するだけで、上り回線についても周波数ｆを用いることが通知できる。
【００４９】
このため、移動局ＭＳ１の送受信可能なスペクトラム帯域幅が基地局ＢＳの送受信するスペクトラム帯域幅に比べ小さい場合であっても、移動局ＭＳ１は、送信用ローカル信号の周波数と、受信用ローカル信号の周波数を連動させて一括して制御すればよく、それぞれ独立して制御するといった複雑な構成が不要であり、簡単な構成でリソース割り当てを行うことができる。
【００５０】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５１】
その一例として例えば、上記実施の形態では、基地局ＢＳが上り回線品質、下り回線品質および回線の割り当て状況を考慮して、移動局ＭＳ１に割り当てる上り回線の無線リソースを決定するようにしたが、必ずしも上り回線品質、下り回線品質および回線の割り当て状況の全て考慮しなくてもよい。
【００５２】
また上記実施の形態では、回線割り当てを行う前に、下り回線の品質を考慮するようにしたが、回線を割り当てた後に、下り回線の品質を移動局に報告させ、移動局はこの報告に基づいて、回線割り当てを再検討するようにしてもよい。  
その他、この発明の要旨を逸脱しない範囲で種々の変形を施しても同様に実施可能であることはいうまでもない。
【図面の簡単な説明】
【００５３】
【図１】この発明に係わる無線通信システムを模式的に示した図。
【図２】図１に示した無線通信システムで用いる無線リソースの構成を説明するための図。
【図３】図１に示した無線通信システムの基地局の構成を示す回路ブロック図。
【図４】図１に示した無線通信システムの移動局の構成を示す回路ブロック図。
【図５】図３に示した基地局の無線リソース割り当ての動作を説明するフローチャート。
【図６】図５に示した処理によって移動局に割り当てられる無線リソースを説明するための図。
【符号の説明】
【００５４】
１０１１〜１０１ｎ…データビット生成部、１０２１〜１０２ｎ…エンコーダ、１０３１〜１０３ｎ…変調部、１０４０…パイロットシンボル生成部、１０５０…OFDMシンボルマッピング部、１０６０…ＤＡ変換器、１０７０…送信ＲＦ処理部、１０８０…受信ＲＦ処理部、１０９０…ＡＤ変換器、１１００…OFDMシンボルデマッピング部、１１１１〜１１１ｎ…回線品質情報検出部、１１２１〜１１２ｎ…データビット再生部、１１３０…上り回線品質検出部、１１４０…制御部、１１５０…リソース制御シンボル生成部、２０１０…受信ＲＦ処理部、２０２０…ローカル信号生成部、２０３０…ＡＤ変換器、２０４０…OFDMシンボルデマッピング部、２０５０…リソース制御情報抽出部、２０６０…復調部、２０７０…デコーダ、２０８０…データビット再生部、２０９０…下り回線品質検出部、２１００…下り回線品質情報生成部、２１１０…エンコーダ、２１２０…変調部、２１３０…データビット生成部、２１４０…エンコーダ、２１５０…変調部、２１６０…OFDMシンボルマッピング部、２１７０…ＤＡ変換器、２１８０…送信ＲＦ処理部、ＢＳ…基地局、ＭＳ１〜ＭＳｎ…移動局。
【図１】
2008187681.tif 000003
【図２】
2008187681.tif 000004
【図３】
2008187681.tif 000005
【図４】
2008187681.tif 000006
【図５】
2008187681.tif 000007
【図６】
2008187681.tif 000008